(57)【要約】【課題】積み重ねた状態で厚さが均等になる、ウエットシート積層体を提供する。【解決手段】右側シート１と左側シート２を交互に積み重ねた積層体であって、右側シート１は、Ｚ形に折り畳んでおり、上シート部１１の左端は左方向に延びた延長部11aを有し、下シート部１３の右端は、上シート部１１の右側部上面に折り返された折返し部13aを有し、左側シート２は、Ｓ型に折り畳んでおり、上シート部２１の右端は右方向に延びた延長部２１を有し、下シート部２３の左端は、上シート部２１の左側部上面に折り返された折返し部23aを有し、右側シート１の上シート部１１が、左側シート２の上シート部２１と中シート部２２との間に差し込まれ、左側シート２の上シート部２１が、右側シート１の上シート部１１と中シート部１２との間に差し込まれており、延長部11a，21aと折返し部23a，13aを合わせた長さは、積層体の全幅にほぼ等しい。【選択図】図１
2005245862.tif 000002
【特許請求の範囲】
【請求項１】
右側シートと左側シートを交互に積み重ねた積層体であって、
前記右側シートは、Ｚ形に折り畳んで、上シート部と中シート部と下シート部が重なった折畳み部を有しており、
前記上シート部の左端は、左方向に延びた延長部を有し、
前記下シート部の右端は、更に延びて前記上シート部の右側部上面に折り返された折返し部を有し、
前記左側シートは、Ｓ型に折り畳んで、上シート部と中シート部と下シート部が重なった折畳み部を有しており、
前記上シート部の右端は、右方向に延びた延長部を有し、
前記下シート部の左端は、更に延びて前記上シート部の左側部上面に折り返された折返し部を有し、
前記右側シートと前記左側シートは、前記右側シートの上シート部が、前記左側シートの上シート部と中シート部との間に差し込まれ、前記左側シートの上シート部が、前記右側シートの上シート部と中シート部との間に差し込まれており、
前記左右シートの両折畳み部の幅は、いずれも積層体の全幅の約１／２であり、
前記左右いずれか一方のシートの延長部と前記左右いずれか他方のシートの折返し部を合わせた長さは、積層体の全幅の約１／２である
ことを特徴とするウエットシート積層体。
【請求項２】
前記延長部は、前記折返し部より長い
ことを特徴とする請求項１記載のウエットシート積層体。
【発明の詳細な説明】
【技術分野】
【０００１】
本発明は、ウエットシート積層体に関する。ウエットシートとは洗浄液などの液体を含ませた不織布や紙などのシートをいい、便器などを清掃するための厚みのある清掃用ウエットシートや、赤ちゃんのお尻を拭いたり、油の付いた手から油を拭い取ったりするための薄いウエットティッシュなどがある。これらのウエットシートは、湿っているからこそ汚れや油を良く落とすことができるので、洗浄液などが乾燥しないように、密封可能な容器に収納されて使用される。しかるに、容器に収納されたウエットシート集積物の枚数は数十枚もあるので、いったん使用し始めてから使い切るまでの使い勝手が良くなければならない。通常、容器は、合成樹脂製の硬い容器と軟性の収納袋とがあり、軟性の収納袋は、軟性の合成樹脂シートなどで袋状に成形し、ウエットシートの取出口を１カ所設け、その取出口は繰返し開閉可能なラベルで蓋されている。本発明は、このような軟性の収納袋あるいは硬質の容器の取出口から１枚づつ取出して使用するウエットシート積層体に関する。
【背景技術】
【０００２】
ウエットシート積層体に関しては、つぎの従来例がある。
（従来例１）
図４に示す従来例１は、（Ａ）図に示すように、１枚のシートをＳ字状に折り畳んだ状態で、多数枚を中央部で差込み状態にして積み重ねたものである。Ｓ字状に折り畳まれたシートの各部を上シート部101,中シート部102,下シート部103とすると、中シート部102は積層体の全幅と同幅であり、上シート部101は全幅の１／２より少し長く、下シート部103も全幅の１／２より少し長くなっている。したがって、図示の積層状態で、上シート部101の左端部と下シート部103の右端部は、上下に重なっている。
このような折り畳み方をして軟性の収納袋に収容すると、（Ｂ）図に示すように、中央付近では三重の重なり部が生じ、その両側では二重にしか重なっていないので、中央付近のみが嵩高になる（いわゆる中高である）。収納袋もフィルムシート製の柔らかいものであるから、収納袋も含めて中高になると、安定性が悪くコロコロと転がるようになり、片手でウエットシートを取出すのが困難になる。このようなとき、赤ちゃんを片手で抱きかかえた母親は、別の片手でしかウエットシートを取出せないので、非常に不便である。
（従来例２）
図５に示す従来例２は、（Ａ）図に示すように、右側シート200と左側シート210に分け、左右に多少ずらせて積み重ねたものである。なお、分かりやすくするため、（Ａ）図でのみ、右側シートを太線で示し、左側シートを点線で示している。前記右側シート200は、Ｚ形に折り畳むと共に、上シート部201の左端を少し左側に延ばしている。延ばした長さは、積層体の全幅の約１／４である。中シート部202と下シート部203の幅は、積層体の全幅の約１／２である。前記左側シート210は左右対称に折り畳むもので、Ｓ形に折り畳むと共に、上シート部211の右端を少し右側に延ばしている。延ばした長さは、積層体の全幅の約１／４である。中シート部212と下シート部213の幅は、積層体の全幅の約１／２である。
このような折り畳み方をして軟性の収納袋に収容すると、（Ｂ）図に示すように、全体の約１／２を占める中央部分では両端部より重なり枚数が多いので、中高の形態となる。したがって、この従来例も、安定性が悪くコロコロ転がる包装容器からウエットシートを片手で取出すのが困難になる。
（従来例３）
前記従来例１，２は、いずれも中高になるという欠点があったが、これを解決しようとするものが、従来例３である。
図６に示す従来例３は、（Ａ）図に示すように、右側シート300と左側シート310に分け、積み重ねたものである。なお、分かりやすくするため、（Ａ）図でのみ、右側シートを太線で示し、左側シートを点線で示している。前記右側シート300はＺ形に折り畳んだもので、上シート部301と中シート部302と下シート部303からなる。中シート部302は積層体の全幅に等しい幅であり、上シート部301と下シート部303は、それぞれ約１／３の幅を有している。前記左側シートはＳ形に折り畳んだもので、上シート部311と中シート部312と下シート部313とからなる。中シート部312は積層体の全幅に等しい幅であり、上シート部311と下シート部313は、それぞれ約１／３の幅を有している（特許文献１）。
このような折り畳み方をして、軟性の収納袋に収容すると、（Ｂ）図に示すように、中央部が両端部より薄くなり、取出口から手指を差し込んでつまみとるのが困難になるので、やはり片手では使いづらい。
（従来例４）
前記従来例３の問題を解決しようと工夫したのが、図７に示す従来例４である。
この従来例４は、前記従来例３と基本構造は同じであるが、右側シート400はＺ折りの上シート部401のシート端を積層体の左端まで延ばし、左側シート410はＳ折りの上シート部411のシート端を積層体の右端まで延ばした点で異なっているものである。なお、分かりやすくするため、右側シートを太線で示し、左側シートを点線で示している。
このような折り方をした場合、重なり厚さが積層体の全幅で同じとなるため、中高にも中低にもならないという利点が生じる。しかしながら、右側シート400と左側シート410の重なり領域、すなわち、上シート部401と中シート部412との接触領域、そして、上シート部411と中シート部402との接触領域が、いずれも積層体の全幅の１／２と大きくなるので、互いの摩擦も大きくなる。このため、１枚目のウエットシートを取出すと、２枚目のシートも引きずり出され、ズルズルと連続して引き出すようになったり、またこのため、取出口を蓋やラベルにより密封できなくなるという問題がある。
【０００３】
【特許文献１】特表２０００−５１２８８５
【発明の開示】
【発明が解決しようとする課題】
【０００４】
本発明は上記事情に鑑み、積み重ねた状態で厚さが均等になり、かつウエットシートを１枚づつ取出せ、２枚目のシートを引きずり出すことがないウエットシート積層体を提供することを目的とする。
【課題を解決するための手段】
【０００５】
第１発明のウエットシート積層体は、右側シートと左側シートを交互に積み重ねた積層体であって、前記右側シートは、Ｚ形に折り畳んで、上シート部と中シート部と下シート部が重なった折畳み部を有しており、前記上シート部の左端は、左方向に延びた延長部を有し、前記下シート部の右端は、更に延びて前記上シート部の右側部上面に折り返された折返し部を有し、前記左側シートは、Ｓ型に折り畳んで、上シート部と中シート部と下シート部が重なった折畳み部を有しており、前記上シート部の右端は、右方向に延びた延長部を有し、前記下シート部の左端は、更に延びて前記上シート部の左側部上面に折り返された折返し部を有し、前記右側シートと前記左側シートは、前記右側シートの上シート部が、前記左側シートの上シート部と中シート部との間に差し込まれ、前記左側シートの上シート部が、前記右側シートの上シート部と中シート部との間に差し込まれており、前記左右シートの両折畳み部の幅は、いずれも積層体の全幅の約１／２であり、前記左右いずれか一方のシートの延長部と前記左右いずれか他方のシートの折返し部を合わせた長さは、積層体の全幅の約１／２であることを特徴とする。
第２発明のウエットシート積層体は、第１発明において、前記延長部は、前記折返し部より長いことを特徴とする。
【発明の効果】
【０００６】
第１発明によれば、前記左右シートの両折畳み部の幅は、互いに同一で、積層体の全幅の約１／２であり、前記左右いずれか一方のシートの延長部と前記左右いずれか他方のシートの折返し部を合わせた長さも、積層体の全幅にほぼ等しいので、重なり枚数が全幅で等しくなり、積み重ねた状態で中高にも中低にもならない。このため、軟性の収納袋を安定的に置けるので、ウエットシートの取出しが容易に行なえ、片手でも可能となる。また、１枚目のシートと２枚目のシートの重なり部分は、上シート部が中シート部の一部に重なった部分であるので、積層体の全幅の１／２よりも折返し部の長さだけ短くなっている。よって、摩擦力が過大でもなく過小でもないので、２枚目のシートの一部を引きずり出すことはない。よって、１枚１枚の取出しが可能で、連続取出しを防止するので使い勝手がよくなる。
第２発明によれば、延長部が折返し部より長いので、右側シートと左側シート間の接触領域がちょうどよい長さになり、１枚目のシートを取出すとき、２枚目のシートの上部を一緒に引き出すが、全体は引き出さないだけの摩擦力を発揮することになる。よって、１枚ずつの取出しが可能で、連続取出しを防止することができる。
【発明を実施するための最良の形態】
【０００７】
つぎに、本発明の実施形態を図面に基づき説明する。
図１は本発明の一実施形態に係るウエットシート積層体を示し、（Ａ）図は上下に少し分離した状態で示す説明図、（Ｂ）図は収納袋に収納した状態の説明図である。図２は本発明の他の実施形態に係るウエットシート積層体を示し、（Ａ）図は上下に少し分離した状態で示す説明図、（Ｂ）図は収納袋に収納した状態の説明図である。図３は本発明のウエットシート積層体の取出し作用の説明図である。なお、図１および図２においては、分かりやすくするため、（Ａ）図でのみ、右側シートを太線で示し、左側シートを点線で示している。
【０００８】
本実施形態のウエットシート積層体Ａは、図１の（Ａ）図に示すように、右側シート１と左側シート２を交互に積み重ねて積層体に構成したものである。前記右側シート１は、基本形態は、アルファベットのＺ字形に似たＺ形に折り畳んだもので、これに後述する延長部11aと折返し部13aが付加されたものである。したがって、１枚のシートがＺ形に折り畳まれることにより、三つの部分に分けられるが、それぞれは上シート部１１と中シート部１２と下シート部１３となっている。これらの上シート部１１と中シート部１２と下シート部１３が重なった部分は、折畳み部１０という。前記上シート部１１の左端は、左方向に延びた延長部11aを有している。この延長部11aの長さは、折畳み部１０の約１／２の幅である。また、前記下シート部１３の右端はさらに延びており、前記上シート部１１の右側部上面に折り返された折返し部13aを有している。この折返し部13aの長さは、折畳み部１０の約１／２の幅である。
【０００９】
前記左側シート２は、基本形態は、アルファベットのＳ字形に似たＳ型に折り畳んだもので、これに後述する延長部21aと折返し部23aが付加されたものである。したがって、１枚のシートがＳ形に折り畳まれることにより、三つの部分に分けられ、それぞれを上シート部２１，中シート部２２，下シート部２３という。これらの上シート部２１と中シート部２２と下シート部２３が重なった部分は、折畳み部２０という。前記上シート部２１の右端は、右方向に延びた延長部21aを有している。この延長部21aの長さは、折畳み部２０の約１／２の幅である。また、前記下シート部２３の左端はさらに延びており、前記上シート部２１の左側部上面に折り返された折返し部23aを有している。この折返し部23aの長さは、折畳み部の約１／２の幅である。
【００１０】
前記右側シート１と前記左側シート２は、前記右側シート１の上シート部１１の延長部11ａが、前記左側シート２の上シート部２１と中シート部２２との間に差し込まれ、前記左側シート２の上シート部２１の延長部21aが、前記右側シート１の上シート部１１と中シート部１２との間に差し込まれている。前記左右シート１，２の両折畳み部１０，２０の幅は、互いに同一で、積層体の全幅の約１／２である。また、前記右シート１の延長部11aと左シート２の折返し部23aを合わせた長さは、積層体の全幅の約１／２にほぼ等しく、左シート２の延長部21aと右シート１の折返し部13aを合わせた長さは、積層体の全幅の約１／２にほぼ等しくなっている。
【００１１】
前記左右シート１，２の両折畳み部１０の幅は、互いに同一で、積層体の全幅の約１／２であり、前記左右いずれか一方のシートの延長部11a，21aと前記左右いずれか他方のシートの折返し部23a，13aを合わせた長さも、積層体の全幅の約１／２にほぼ等しい。
【００１２】
図１の（Ｂ）図は、多数枚の前記各シート１，２を収納袋３に収納した状態を示す断面図である。この（Ｂ）図に示すように、各シート１，２間の重なり枚数が積層体の全幅で等しくなり、積み重ねた状態で中高にも中低にもならない。このため、軟性の収納袋であっても安定的に置けるので、ウエットシートの取出しが容易に行なえ、片手でも可能となる。
【００１３】
図２の実施形態は、（Ａ）図に示すように、各シート１，２の延長部11a，21aの長さが、前記実施形態に比べて少し長くなっており、その代わりに、折返し部13a，23aの長さが少し短くなったものであるが、それ以外の基本構成は、図１の実施形態と変わることはない。要するに、延長部11aと折返し部23aを合わせた長さが積層体の全幅の約１／２に等しいか、わずかに短い位であればよく、また、延長部21aと折返し部13aも、それらを合わせた長さが積層体の全幅の約１／２に等しいか、わずかに短い位であればよいのである。
【００１４】
図２の（Ｂ）図は、多数枚の前記各シート１，２を収納袋３に収納した状態を示す断面図である。この（Ｂ）図に示すように、各シート１，２間の重なり枚数が積層体の全幅で等しくなり、積み重ねた状態で中高にも中低にもならない。このため、軟性の収納袋であっても安定的に置けるので、ウエットシートの取出しが容易に行なえ、片手でも可能となる。
【００１５】
上記に示した図１および図２のいずれの実施形態においても、１枚目のシートと２枚目のシートの重なり部分は、上シート部11a，21aが中シート部１２，２２の一部に重なった部分であるので、積層体の全幅の１／２よりも折返し部23a，13aの長さだけ短くなっている。よって、摩擦力が過大でもなく過小でもないので、図３に示すように、１枚目のシートを取出すとき、２枚目のシートの一部を引きずり出すことはない。よって、１枚１枚の取出しが可能で、連続取出しを防止するので使い勝手がよくなる。
【００１６】
本発明におけるウエットシート積層体は、左右各シートの折畳み形状に特徴があるもので、その材質や大きさは、任意に選択できるものである。したがって、シート材質としては公知のものを何ら制限なく用いることができ、大きさも制限なく大小様々のものを用いることができる。
【図面の簡単な説明】
【００１７】
【図１】本発明の一実施形態に係るウエットシート積層体を示し、（Ａ）図は上下に少し分離した状態で示す説明図、（Ｂ）図は収納袋に収納した状態の説明図である。
【図２】本発明の他の実施形態に係るウエットシート積層体を示し、（Ａ）図は上下に少し分離した状態で示す説明図、（Ｂ）図は収納袋に収納した状態の説明図である。
【図３】本発明のウエットシート積層体の取出し作用の説明図である。
【図４】従来例１のウエットシート積層体を示し、（Ａ）図は上下に少し分離した状態で示す説明図、（Ｂ）図は収納袋に収納した状態の説明図である。
【図５】従来例２のウエットシート積層体を示し、（Ａ）図は上下に少し分離した状態で示す説明図、（Ｂ）図は収納袋に収納した状態の説明図である。
【図６】従来例３のウエットシート積層体を示し、（Ａ）図は上下に少し分離した状態で示す説明図、（Ｂ）図は収納袋に収納した状態の説明図である。
【図７】従来例４のウエットシート積層体を示し、（Ａ）図は上下に少し分離した状態で示す説明図、（Ｂ）図は収納袋に収納した状態の説明図である。
【符号の説明】
【００１８】
１    右側シート
２    左側シート
１１    上シート部
１２    中シート部
１３    下シート部
11a     延長部
13a     折返し部
２１    上シート部
２２    中シート部
２３    下シート部
21a     延長部
23a     折返し部
【図１】
2005245862.tif 000003
【図２】
2005245862.tif 000004
【図３】
2005245862.tif 000005
【図４】
2005245862.tif 000006
【図５】
2005245862.tif 000007
【図６】
2005245862.tif 000008
【図７】
2005245862.tif 000009